(57)【要約】  本発明は、曲げたとき、折り曲げたとき、または歪めたときに破損しない、不連続照明を伴うＬＥＤストリップに関する。それによって、曲げたとき、折り曲げたとき、または歪めたときであっても、正確な照明を提供する。このＬＥＤストリップは、一方または両方の面にＬＥＤが装着された薄板支持部を備えた、少なくとも１つの第１のセクションと、第１のセクションに接続された少なくとも１つの導体を備えた、第２のセクションとを備える。それによって上記のストリップは、薄板支持部と同じ面において、第２のセクションで曲げること、歪めること、または折り曲げることができる。【選択図】図２
2021520620.tif 000002
【特許請求の範囲】
【請求項１】
一方または両方の面にＬＥＤが装着された薄板支持部（１．１）を含み、少なくとも１つの第１のセクション（１）を備えた、不連続照明を伴うＬＥＤストリップであって、前記第１のセクション（１）に接続された少なくとも１つの導体（２．１）を備えた第２のセクション（２）をさらに備え、それによって、前記薄板支持部（１．１）と同じ面において前記第２のセクション（２）で、曲げ、歪め、または折り曲げることができることを特徴とする、ＬＥＤストリップ。
【請求項２】
前記第２のセクション（２）の前記導体（２．１）は、前記第１のセクション（１）の前記薄板支持部（１．１）の続きとして構成される、請求項１に記載のＬＥＤストリップ。
【請求項３】
前記第２のセクション（２）の前記導体（２．１）は、結び目（２Ｎ）として形成される、請求項１に記載のＬＥＤストリップ。
【請求項４】
前記第２のセクション（２）は、前記ＬＥＤストリップの一方の端部に配置され、前記第２のセクション（２）は結び目（２Ｎ）として形成され、それによって前記ＬＥＤストリップを前記結び目（２Ｎ）から吊り下げて配置することができる、請求項１に記載のＬＥＤストリップ。
【発明の詳細な説明】
【技術分野】
【０００１】
本発明は、ＬＥＤを用いたライン状照明システムを構築する、ＬＥＤストリップの分野に含まれる。
【背景技術】
【０００２】
ＬＥＤストリップの製造方法によって、ＬＥＤストリップは連続的に生成され、数メートルの長さを有するストリップを構成し、それらは後ほど必要に応じて切断できる。ＬＥＤストリップは、接続部を伴うプリント回路基板（ＰＣＢ）として、ＬＥＤが配置された薄板支持部によって主に構成される。この薄板支持部はストリップであるので、ストリップの面に対して横断的もしくは平行的な面に曲げること、歪めること、または折り曲げることが可能である。しかし、薄板支持部の同じ面において捩じることは可能ではない。なぜなら、ＬＥＤの接続部及び溶接部が破損する場合があり、それによって電気接続は妨げられて、ＬＥＤストリップが点灯しなくなるからである。
【０００３】
公知のＬＥＤストリップの別の短所は、いくつかのＬＥＤが折り曲げられた場合、それらは互いに重複され、ストリップに過熱を生じさせる場合がある点である。別の短所は、曲げた領域、歪めた領域、または折り曲げた領域における照明が損なわれ、この照明が間違った方向に送られる点である。
【０００４】
この問題は、今日的に関連性が高い。なぜならアーキテクチャ要件は、壁、天井、床、及び照明される建物に好適な任意の他の構造要素に従うよう、湾曲及び回転を要求するためである。これは、湾曲及び回転に関わらず、連続的な送電を保証することを意味する。
【０００５】
本発明は、独立請求項に記載され、かつ特徴付けられる。その一方で、本発明の他の特徴は、従属請求項で説明される。
【発明の概要】
【発明が解決しようとする課題】
【０００６】
本発明の目的は、曲げたとき、折り曲げたとき、または歪めたときに、破損しないＬＥＤストリップであり、それによって、曲げたとき、折り曲げたとき、または歪めたときであっても、正確な照明を提供する。解決すべき技術的課題は、言及する目的を獲得するようなＬＥＤストリップを構成することである。
【課題を解決するための手段】
【０００７】
本発明は、当技術分野で知られているように、一方または両方の面にＬＥＤが装着された薄板支持部を含む、少なくとも第１のセクションを備えた、不連続照明を伴うＬＥＤストリップに関する。
【０００８】
本発明は、ＬＥＤストリップが、第１のセクションの後ろに第２のセクションをさらに備え、第２のセクションは、第１のセクションに接続された少なくとも１つの導体、したがって電気接続を備え、それによってＬＥＤの照明は保証され、薄板支持部の同じ面における第２のセクションで、上記のストリップを曲げ、歪め、または折り曲げることができることを、特徴とする。
【０００９】
したがって本発明は、明確に区別された２つの領域を有するＬＥＤストリップに関する。一方の領域は、照明のためのＬＥＤダイオードを有する第１のセクションに相当し、他方の領域は、いかなる照明構成要素も有さず、電気的連続性を保証する最小限の構成要素のみを有し、曲がり、折れ曲がり、歪みを通して送電を可能にする、継ぎ合わせのない第２のセクションに相当する。
【００１０】
第１のセクション、及び第２のセクションの簡単な構成が本明細書で言及されるが、所望の方法及びセクションの所望の組み合わせで、無限に続けることができる。
【００１１】
主張するＬＥＤストリップの利点として：
−ＬＥＤのない第２の折り曲げセクションの部分が存在し、他の部分すなわちＬＥＤを有する第１の照明セクションよりも、かなり低コストであり、従来のＬＥＤストリップと同じ直線距離を網羅するために、メートル当たりのコストを軽減させることと、
−セクションが、ケーブルを用いて相互接続されず、ストリップ自体が電力を送る要素であるため、不連続照明システムのための設置コストを軽減させることができることと、
−全ての方向に回転し、曲げ、及び折り曲げることを可能にし、これら回転、曲げ、及び折り曲げは、非照明領域すなわちＬＥＤがない領域で成される必要があり、この領域は第１のセクションに相当することと
を含む。
【００１２】
本明細書は、好ましい例を図示し、本発明を限定しない図のセットによって補完される。
【図面の簡単な説明】
【００１３】
【図１】中央に配置された第２のセクションの両側において、２つの第１のセクションを伴うＬＥＤストリップの、部分的平面図である。
【図２】ＬＥＤストリップの薄膜支持部の同じ面において、ＬＥＤのない第２のセクションにおける湾曲部を伴う、図１のＬＥＤストリップを示す図である。
【図３】第２のセクションの結び目の斜視図である。
【図４】上部の結び目及び下部の結び目を伴う、ＬＥＤストリップの垂直配置を示す図である。
【発明を実施するための形態】
【００１４】
図１は、不連続照明を伴うＬＥＤストリップを示す。このＬＥＤストリップは、示されるように一方または両方の面にＬＥＤ（１．２）が装着された薄板支持部（１．１）を備えた、少なくとも１つ、説明の実施形態では２つの第１のセクション（１）と、図において第１のセクション（１）に対して中央に配置され、第１のセクション（１）に接続された少なくとも１つの導体（２．１）を備え、それによって上記のストラップは、薄板支持部（１．１）と同じ面において第２のセクション（２）で曲げられ、歪ませ、または折り曲げられるが、図においては直角に曲げられた、第２のセクション（２）と、を備える。
【００１５】
この表示は、２つの可能性を示す図に過ぎないが、任意の角度及び面において、捩じることを含む、曲げること、折り曲げること、歪めることが可能である。なぜなら、導体（２．１）のみしか影響を受けないからである。
【００１６】
図１及び図２に示される有利な選択肢は、第１のセクション（１）の薄板支持部（１．１）の続きとして構成された、第２のセクション（２）の導体（２．１）から成る。換言すると、導体（２．１）を任意のタイプにできる一方で、同じ薄板支持体を、１つの同じ生成プロセスにおいて維持することができ、かつ、ＬＥＤ（１．２）を伴うセクション及びＬＥＤ（１．２）を伴わないセクションを、第１のセクション（１）及び第２のセクション（２）それぞれによって間に入れることができる。
【００１７】
図３に示された選択肢は、曲げて結び目（２Ｎ）を形成できる第２のセクション（２）の導体（２．１）から成る。これは、例えば結び目（２Ｎ）自体の締結要素として適用できる。なぜなら結び目（２Ｎ）は、第２のセクション（２）の幅である最大幅を有する穴を伴う、プレート（５、６）などの支持部に対して、制止部として作用することができる厚くなった部分を生成するからである。
【００１８】
その意味では、例えば図４に示されるように、第２のセクション（２）を、ＬＥＤストリップの一方の端部に配置することができ、第２のセクション（２）は結び目（２）として形成される。それによってＬＥＤストリップを、例えば垂直支持部としての第１のプレート（５）において、上記の結び目（２Ｎ）から吊り下げて配置することができる。ＬＥＤストリップは、壁（３）に沿って吊り下がり、ストリップの下端部の近くに別の結び目（２Ｎ）が作られ、そこでは対応する床（４）と隅部を形成し、第２のプレート（６）で支持されることで、プレート（５、６）間のセクションに張力を作り出す。さらに、次に第２のセクション（２）を曲げて、言及した床（４）に沿って延ばし続けることができる。これは、特定のセクションごとに、ＬＥＤストリップのための締結要素を含む必要をなくす。締結要素を含むことは、コストを増加させること及び設定を複雑にすることに加え、危険である。なぜなら、設定を実施するオペレータ自身が、壁（３）の高さから降りて締結要素を設置する必要があるからである。その一方で本明細書の発明を考慮すると、オペレータは、ストリップを結び目（２Ｎ）から配置し、結び目（２Ｎ）から下がってきたものを床に近接して捕捉するだけでよく、壁（３）に沿ったいかなる作業も実施する必要がない。
【００１９】
示されなかった選択肢は、例えばシリコーンまたは任意の他の材料で作られたものなどのカプセルによって部分的または完全に包まれた、ＬＥＤストリップから成る。それによって、考慮する本明細書の発明のために理想的な材料の特性を利用して、任意の曲げ、折り曲げ、歪みが同様に適用可能となる。
【図１】
2021520620.tif 000003
【図２】
2021520620.tif 000004
【図３】
2021520620.tif 000005
【図４】
2021520620.tif 000006
【国際調査報告】
2021520620.tif 000007
2021520620.tif 000008
2021520620.tif 000009
2021520620.tif 000010
2021520620.tif 000011
2021520620.tif 000012